(57)【要約】【課題】フローリングシートの補集面積が増大し、塵などの捕集率が高まるフローリングシートを提供する。【解決手段】不織布からなる基材シート１１の少なくとも一面の床拭き領域１１ｂに、不織布からなる多数のフリル片１２を配設したので、基材シート１１の動きに応じて移動する可動部分をフローリングシート１０に付与することができ、フローリングシート１０の補集面積を増大することができる。その結果、塵などの捕集率を高めることができる。【選択図】図１
0003140483.tif 000002
【実用新案登録請求の範囲】
【請求項１】
不織布からなる基材シートの少なくとも一面の床拭き領域に、湾曲自在な多数のフリル片が配設されたことを特徴とするフローリングシート。
【請求項２】
上記床拭き領域は平面視して矩形状で、
該床拭き領域には、この床拭き領域の幅より短幅な不織布製の複数枚の帯状シートが、上記床拭き領域の幅方向へ平行に配設され、
上記各フリル片は、上記帯状シートの幅方向の少なくとも一端部に、該帯状シートの長さ方向へ所定ピッチで切れ目を入れて形成された請求項１に記載のフローリングシート。
【請求項３】
上記各フリル片は、上記帯状シートの幅方向の両端部に形成され、
隣接する上記帯状シートは、一方の該帯状シートの各フリル片と、他方の該帯状シートの各フリル片とが離反自在に重ね合わされた請求項２に記載のフローリングシート。
【請求項４】
複数の上記フリル片の一部が、上記床拭き領域の幅方向の両辺から外方へ突出した請求項１〜請求項３のうち、何れか１項に記載のフローリングシート。
【請求項５】
上記基材シートおよび上記フリル片には、床拭き剤が含浸された請求項１〜請求項４のうち、何れか1項に記載のフローリングシート。
【請求項６】
上記基材シートは、ドライシートまたはウエットシートの何れかである請求項１〜請求項５のうち、何れか1項に記載のフローリングシート。
【考案の詳細な説明】
【技術分野】
【０００１】
本考案は、床清掃具に展張されるフローリングシート、詳しくは床面上の土埃、塵、髪の毛などを捕集して除去するフローリングシートに関する。
【背景技術】
【０００２】
近年、平面視して矩形状の取り付け板の上面の中央部に、長尺な柄を首振り自在に連結した床掃除具が開発されている。取り付け板の四隅付近の上面（表面）には、弾性板に星形スリットが形成されている。床拭き時には、取り付け板の下面に取り付け板より大判で、平面視して矩形状の不織布製のフローリングシートを張り付け、かつフローリングシートの幅方向の両端部を上方へ折り返し、両折り返し部分を４つの星形スリットにそれぞれ掛止するものが知られている。
【０００３】
従来のフローリングシートとして、例えば特許文献１のものが知られている。特許文献１のフローリングシートは、水性洗浄剤が含浸され、熱収縮性繊維と非熱収縮性繊維とを含む基材シートを本体としている。熱収縮性繊維は熱収縮し、これにより非熱収縮性繊維に屈曲や撓みが生じ、基材シートの表面が多皺状になっている。基材シートは、取り付け板の下面と対峙する部分が、床面と接する床拭き領域となる。
床拭き時には、フローリングシートを床掃除具の取り付け板の下面に展張し、その後、床掃除具の柄を握り、フローリングシートの下面の床拭き領域を床面に押し付け、取り付け板を前後左右へ移動させる。これにより、床面上の土埃、塵、髪の毛などが床拭き領域に捕集される。
【０００４】
特許文献１のフローリングシートは、このように熱収縮した熱収縮性繊維により、非熱収縮性繊維に屈曲や撓み生じさせ、基材シートの表面を多皺状として、フローリングシートの補集面積を増大させ、塵などの捕集効率を高めたものであった。
しかしながら、熱収縮性繊維を熱収縮させて皺を形成する方法では、基材シートの捕集面積はさほど増加せず、塵などの捕集効率は十分とは言えなかった。しかも、この皺程度では基材シートに対する凹凸が小さく、大きな塵などを捕集することは困難であった。
【特許文献１】特開２００３−２６５３８７号公報
【考案の開示】
【考案が解決しようとする課題】
【０００５】
そこで、本考案者らは、鋭意研究の結果、不織布からなる基材シートの床拭き領域に、同じ不織布からなる多数のフリル片が配設すれば、床拭き時の基材シートの動きに応じて移動する可動部分を基材シートに付与することができるとともに、フローリングシートの補集面積を増大できることを知見し、本考案を完成させた。
【０００６】
本考案は、フローリングシートの補集面積を増大させ、塵などの捕集率を高めることができるフローリングシートを提供することを目的としている。
本考案は、基材シートの床拭き領域に多数枚のフリル片を簡単に形成することができるフローリングシートを提供することを目的としている。
本考案は、多量の塵などをフリル片により抱き込むことで、塵などの捕集効率をさらに高めることができるフローリングシートを提供することを目的としている。
本考案は、床拭き領域を拡大することができ、かつ部屋の隅の塵などが捕集し易いフローリングシートを提供することを目的としている。
本考案は、床拭き剤の特性に応じて、水性汚れおよび油性汚れなどに対する清掃性能を高めることができるフローリングシートを提供することを目的としている。
【課題を解決するための手段】
【０００７】
請求項１に記載の考案は、不織布からなる基材シートの少なくとも一面の床拭き領域に、不織布からなる多数のフリル片が配設されたことを特徴とするフローリングシートである。
【０００８】
請求項１に記載の考案によれば、フローリングシートを床掃除具の取り付け板の下面に張り付け、床掃除具の柄を握り、基材シートの少なくとも一面の床拭き領域を床面に押し付けた状態で、取り付け板を前後左右へ移動させ、床面を拭き掃除する。このとき、基材シートに多数のフリル片を配設したので、基材シートの動きに応じて移動する可動部分をフローリングシートに付与することができ、フローリングシートの補集面積を増大することができる。その結果、塵などの捕集率を高めることができる。
【０００９】
不織布の素材としては、例えば、基材シートがドライシートの場合はポリエチレンテレフタレート（ＰＥＴ）、ポリプロピレン（ＰＰ）またはその複合品などを採用することができる。また、基材シートがウエットシートの場合には、レーヨン、レーヨンとＰＥＴ、ＰＰの複合品などを採用することができる。
その他、綿、ウールなどの天然繊維や、ポリエチレン、その他のポリエステル、ナイロン、ポリ塩化ビニル、ビニロンなどの合成繊維などの中から任意に一種以上を選択して使用することができる。その繊維の断面形状も任意で、分割型複合繊維や異形断面を有する繊維なども任意に使用することができる。その繊維径は、１．０〜１０ｄｔｅｘ、特に１．７〜３．３ｄｔｅｘが好ましい。
基材シートの床拭き領域は、平面視して床掃除具の取り付け板の下面と同じ形状、同じ面積の領域である。基材シートは、この床拭き領域を含む寸法を有している。
床拭き領域は、基材シートの一面に形成しても、基材シートの両面に形成してもよい。
【００１０】
フリル片の素材としては、織布、不織布、編布などの布帛、革、合成樹脂、紙、金属（箔）などを採用することができる。
フリル片の大きさ、床拭き領域での形成位置は任意である。
フリル片の形状としては、例えば円形状、楕円形状のほか、三角形状、矩形状を含む多角形状を採用することができる。
フリル片の形成方法としては、例えば矩形状の布帛の端部または中央部などに切れ目を入れて形成する方法を採用することができる。また、不織布シートを所定のフリル片形状に切断することで形成してもよい。
フリル片の枚数は、1枚でも２枚以上でもよい。
その他、フローリングシートの塵などの補集率をあげる方法として、フリル片に着塵剤、流動パラフィンを付着させたり、帯電加工（エレクトレット加工）により補集効率をさらに高めてもよい。
【００１１】
請求項２に記載の考案は、上記床拭き領域は平面視して矩形状で、該床拭き領域には、この床拭き領域の幅より短幅な不織布製の複数枚の帯状シートが、上記床拭き領域の幅方向へ平行に配設され、上記各フリル片は、上記帯状シートの幅方向の少なくとも一端部に、該帯状シートの長さ方向へ所定ピッチで切れ目を入れて形成された請求項１に記載のフローリングシートである。
【００１２】
請求項２に記載の考案によれば、帯状シートの幅方向の少なくとも一端部に、帯状シートの長さ方向へ所定ピッチで切れ目を入れて各フリル片を形成したので、基材シートの床拭き領域に多数枚のフリル片を簡単に形成することができる。
【００１３】
帯状シートの不織布の素材は、基材シートの不織布と同じでも、異なってもよい。
帯状シートの使用枚数は、２枚でも３枚以上でもよい。帯状シートの幅は任意である。例えば、３０〜１００ｍｍでもよい。
帯状シートに形成される切れ目のピッチは任意である。例えば、３〜２０ｍｍである。
帯状シートの基材シートへの固定方法としては、ホットメルト、ヒートシール、超音波シールなどを採用することができる。
【００１４】
請求項３に記載の考案は、上記各フリル片は、上記帯状シートの幅方向の両端部に形成され、隣接する上記帯状シートは、一方の該帯状シートの各フリル片と、他方の該帯状シートの各フリル片とが離反自在に重ね合わされた請求項２に記載のフローリングシートである。
【００１５】
請求項３に記載の考案によれば、隣接する帯状シートのうち、一方の帯状シートの各フリル片と、他方の帯状シートの各フリル片とが離反自在に重ね合わされているので、床拭き時、一方の帯状シートの各フリル片と、他方の帯状シートの各フリル片とが外方へ捲れる場合がある。そのうちの対向するフリル片同士の一部が互いを支えにして起立し、厚さが２倍の弾性力を増した（腰が強い）フリル片組となったり、対向するフリル片同士の残りの一部が、互いに反対方向へ捩れた状態で支え合いフリル片をねじり立たせる。これにより、塵などの捕集効率がさらに高まる。しかも、床拭き時、捲れた両フリル片と基材シートとの間に空間が形成される場合があり、この空間に塵などが入り込むことで、多量の塵などをフリル片によって抱き込み、捕集することができる。
【００１６】
「一方の帯状シートの各フリル片と、他方の帯状シートの各フリル片とが離反自在に重ね合わされた」とは、一方の帯状シートの各フリル片と、他方の帯状シートの各フリル片とが、それぞれ捲くり可能に重ね合わされた状態をいう。したがって、使用時に両フリル片は捲くれ易く、両フリル片と基材シートとの間に塵などが入り込む空間が形成され易い。
【００１７】
請求項４に記載の考案は、複数の上記フリル片の一部が、上記床拭き領域の幅方向の両辺から外方へ突出した請求項１〜請求項３のうち、何れか１項に記載のフローリングシートである。
【００１８】
請求項４に記載の考案によれば、床拭き領域の幅方向の両辺から複数のフリル片の各一部が外方へ突出しているので、床拭き領域が拡大され、部屋の隅の塵などを捕集し易い。
【００１９】
請求項５に記載の考案は、上記基材シートおよび上記フリル片には、床拭き剤が含浸された請求項１〜請求項４のうち、何れか1項に記載のフローリングシートである。
【００２０】
請求項５に記載の考案によれば、基材シートおよびフリル片に床拭き剤が含浸されているので、床拭き剤（水性床拭き剤、油性床拭き剤）の特性に応じて、水性汚れおよび油性汚れなどに対する清掃性能を高めることができる。
【００２１】
水性床拭き剤床としては、例えば、除菌剤、防黴材、消臭剤などを採用することができる。また、油性床拭き剤としては、例えば、流動パラフィン、ワックス剤、帯電防止剤などを採用することができる。
【００２２】
請求項６に記載の考案は、上記基材シートは、ドライシートまたはウエットシートの何れかである請求項１〜請求項５のうち、何れか1項に記載のフローリングシートである。
【考案の効果】
【００２３】
請求項１に記載の考案によれば、不織布からなる基材シートの少なくとも一面の床拭き領域に、不織布からなる多数のフリル片が配設したので、基材シートの動きに応じて移動する可動部分をフローリングシートに付与することができ、フローリングシートの補集面積を増大することができる。その結果、塵などの捕集率を高めることができる。
【００２４】
特に、請求項２に記載の考案によれば、帯状シートの幅方向の少なくとも一端部に、帯状シートの長さ方向へ所定ピッチで切れ目を入れて各フリル片を形成したので、基材シートの床拭き領域に多数枚のフリル片を簡単に形成することができる。
【００２５】
また、請求項３に記載の考案によれば、隣接する帯状シートのうち、一方の帯状シートの各フリル片と、他方の帯状シートの各フリル片とが離反自在に重ね合わされているので、床拭き時、一方の帯状シートの各フリル片と、他方の帯状シートの各フリル片とが外方へ捲れる場合がある。そのうちの対向するフリル片同士の一部が互いを支えにして起立し、厚さが２倍の弾性力を増したフリル片組となったり、対向するフリル片同士の残りの一部が、互いに反対方向へ捩れた状態で支え合いフリル片をねじり立たせる。これにより、塵などの捕集効率がさらに高まる。しかも、床拭き時、捲れた両フリル片と基材シートとの間に空間が形成される場合があり、この空間に塵などが入り込むことで、多量の塵などをフリル片によって抱き込み、捕集することができる。
【００２６】
請求項４に記載の考案によれば、床拭き領域の幅方向の両辺から複数のフリル片の各一部が外方へ突出しているので、床拭き領域が拡大され、部屋の隅の塵などを捕集し易い。
【００２７】
請求項５に記載の考案によれば、基材シートおよびフリル片に床拭き剤が含浸されているので、床拭き剤の特性に応じて、水性汚れおよび油性汚れなどに対する清掃性能を高めることができる。
【考案を実施するための最良の形態】
【００２８】
以下、本考案の実施例を具体的に説明する。
【実施例】
【００２９】
実施例１
図１〜図４において、１０は本考案の実施例１に係るフローリングシートである。このフローリングシート１０は、床清掃具２０の取り付け板２１に展張状態で掛止され、不織布からなる基材シート１１の一面（下面）の床拭き領域１１ｂに、湾曲自在な多数のフリル片１２が配設されたシートである。
基材シート１１は、ポリエチレンテレフタレート１００％の短繊維をスパンレース法によりシート状にした矩形状で流動パラフィンが塗工されたドライシートである。基材シート１１は、幅方向の両側部の折り返し領域１１ａと、幅方向の中央部の床拭き領域１１ｂとの３つに分かれている。床拭き領域１１ｂは、取り付け板と平面視して同じ寸法の矩形状の領域である。床拭き領域１１ｂには、基材シート１１と同じ不織布製の3枚の帯状シート１３が、床拭き領域１１ｂの幅方向へ平行に配設されている。各帯状シート１３は、基材シート１１と同じようにポリエチレンテレフタレート１００％の短繊維をスパンレース法によりシート状にしたもので、上記流動パラフィンが塗工され、床拭き領域１１ｂの長さと同じ長さで、かつ床拭き領域１１ｂの幅の半分の幅を有している。
【００３０】
各帯状シート１３の幅方向の両端部（長辺部）には、帯状シート１３の長さ方向の全長にわたって所定ピッチでかつ同一長さの切れ目を入れることで、上記多数のフリル片１２が形成されている。具体的には、床拭き領域１１ｂの幅方向の両端部に一対の帯状シート１３の幅方向の中央部がホットメルト融着されるとともに、床拭き領域１１ｂの幅方向の中央部に残りの帯状シート１３の幅方向の中央部がホットメルト融着されている。
このとき、両側の帯状シート１３の各フリル片１２は、その先部が、床拭き領域１１ｂの幅方向の両辺から外方へ突出している。これにより、床拭き領域１１ｂが拡大され、部屋の隅の塵などを捕集し易い。
また、隣接する帯状シート１３は、一方の帯状シート１３の各フリル片１２と、他方の帯状シート１３の各フリル片１２とが離反自在に重ね合わされている。
【００３１】
図１〜図４に示すように、本考案の実施例１のフローリングシート１０による床拭き時には、まずフローリングシート１０を床掃除具２０の取り付け板２１の下面に張り付け、床掃除具２０の柄２２を握り、基材シート１１の少なくとも一面の床拭き領域１１ｂを床面に押し付けた状態で、取り付け板を前後左右へ移動させ、床面を拭き掃除する。このとき、基材シート１１に不織布からなる多数のフリル片１２を配設したので、基材シート１１の動きに応じて移動する可動部分をフローリングシート１０に付与することができ、フローリングシート１０の補集面積を増大することができる。その結果、塵などの捕集率を高めることができる。
【００３２】
また、帯状シート１３の幅方向の両端部に、帯状シート１３の長さ方向へ所定ピッチで切れ目を入れて各フリル片１２を形成したので、基材シート１１の床拭き領域１１ｂに多数枚のフリル片１２を簡単に形成することができる。
隣接する帯状シート１３のうち、一方の帯状シート１３の各フリル片１２と、他方の帯状シート１３の各フリル片１２とを離反自在に重ね合わせたので、床拭き時、一方の帯状シート１３の各フリル片１２と、他方の帯状シート１３の各フリル片１２とが外方へ捲れる場合がある。そのうちの対向するフリル片１２同士の一部が互いを支えにして起立し、厚さが2倍となり弾性力を増したフリル片組となったり、対向するフリル片１２同士の残りの一部が、互いに反対方向へ捩れて支え合い、両フリル片１２をねじり立たせる。これにより、塵などの捕集効率がさらに高まる。しかも、床拭き時、捲れた両フリル片１２と基材シート１１との間に空間が形成される場合があり、この空間に塵などが入り込むことで、多量の塵などをフリル片１２によって抱き込み、捕集することができる（図４）。
さらに、基材シート１１および各帯状シート１３（各フリル片１２）に水性床拭き剤が含浸されているので、床拭き剤の特性に応じて、水性汚れまたは油性汚れなどに対しての清掃性能を高めることができる。
【００３３】
ここで、本考案の実施例１のフローリングシートと、従来のフローリングシート１（市販の金星製紙株式会社製、フローリングシート、商品名：フローリングおそうじらくらく、比較例１）と従来のフローリングシート２（市販の花王株式会社製、フローリングシート、商品名：クイックルワイパー、比較例２）を使用し、実際に、「フローリングワイパー試験方法」に基づき、床拭き試験を行った結果を報告する。従来のフローリングシート１および２は、実施例１のフローリングシートから３枚の帯状シートを除去した、基材シートのみのフローリングシートである。
試験方法は、実施例１のフローリングシートと、比較例１および比較例２のフローリングシートとを同じ品種の掃除具に別々に展張し、その後、床面に１ｇずつ散布したＪＩＳ粉体７種（関東ローム）と、ＪＩＳ粉体４種（タルク）および毛髪を、それぞれ拭き掃除するものとした。結果を表1（実施例１のみ）および表２（実施例１および比較例１および比較例２）に示す。
【００３４】
【表１】
0003140483.tif 000003
【００３５】
【表２】
0003140483.tif 000004
【００３６】
表1および表２から明らかなように、実施例１の方が比較例１および比較例２に比べて、フローリングシートの床拭き領域の表面積を増大させ、塵などの捕集率（着塵率）を高めることができた。すなわち、塵ＪＩＳ４種（タルク）１ｇの場合、実施例１のフローリングシートの場合は、着塵率８８％に対し、比較例１では７４．０％、比較例２では７１．６％であった。また塵ＪＩＳ７種（関東ローム）０．２ｇの場合、実施例１のフローリングシートの場合は、着塵率７６．７％に対し、比較例１では６３．３％、比較例２では７５．０％であった。毛髪に対しても実施例１のフローリングシートの場合は９６．７％に対し比較例１では４３．３％、比較例２では４２．０％であり、いずれの場合も高着塵効果を得た。
【００３７】
なお、上記「フローリングワイパー試験方法」は、次のようにして行った。
１．使用器具
（１）拭き取り用モップ：
花王社製、クイックルワイパー（拭き取り面サイズ：１０×２５．５ｃｍ）
（２）使用ゴミ：
（ｉ）ＪＩＳ（Ｚ  ８９０１）規定の試験用粉体１の４種（タルク）、および７種（関東ローム）
（ii）毛髪：１０ｃｍ長さのもの
２．試験方法
（１）ＪＩＳ粉体拭き取り性試験
模擬床（約３７×５４．５ｃｍ）の短辺から７ｃｍの位置においたφ１５ｃｍの円内に粉体を散布したのち、ワイパーをセットしたモップを一部散布した粉体の上に乗るように置く。その後、モップを模擬床の長辺に沿って動かし、モップの先端が模擬床の端に着いたら、モップを粉体に乗せるようにして反転して戻る。この動作を２往復したら、モップからワイパーを外し、付着している粉体が落ちないように中央部をつまんでたたみ、重量を測定する。
着塵率（％）＝［（試験前のワイパー重量−試験後のワイパー重量）／粉体散布重量］×１００
（２）毛髪拭き取り性試験
模擬床に毛髪１０本をφ１５ｃｍ程度の範囲に均等にばらまき、（１）と同等の方法で１０往復させ、ワイパーに残った毛髪の本数を数える。着塵率の計算方法も同様である。
【図面の簡単な説明】
【００３８】
【図１】本考案のフローリングシートの使用状態の斜視図である。
【図２】本考案のフローリングシートの平面図である。
【図３】本考案のフローリングシートの要部拡大断面図である。
【図４】本考案のフローリングシートの使用状態の要部拡大断面図である。
【符号の説明】
【００３９】
１０    フローリングシート
１１    基材シート
１１ｂ  床拭き領域
１２    フリル片
１３    帯状シート
【図１】
0003140483.tif 000005
【図２】
0003140483.tif 000006
【図３】
0003140483.tif 000007
【図４】
0003140483.tif 000008